(57)【要約】【課題】  外耳道の圧力を調整し自然な音質を提供するイヤホン及びその製造方法を提供する。【解決手段】  外耳道の圧力を調整し自然な音質を提供するイヤホンは、イヤホン本体１、及び、スピーカー２を有する。イヤホン本体１は、イヤホン本体１を貫通する空気流通路１５、及び、振動膜１７が設置される収容設置空間１６を有する。スピーカー２は、収容設置空間１６に設けられ、振動膜１７に対応する。使用者がイヤホン本体１を耳に装着すると、空気流通路１５により耳の外耳道は外界と連通する。振動膜１７が発生する音波は鼓膜に反射された後、空気流通路１５から外界へと伝わるため、外耳道で往復することはない。これにより、音波が鼓膜に対して生じる異常な圧力を減らすとともに、反射する音波によって振動膜１７に対して反対方向の圧力が生じ、音質が歪むことを回避することができる。【選択図】  図３
2018085726.tif 000002
【特許請求の範囲】
【請求項１】
外耳道の圧力を調整し自然な音質を提供するイヤホンであって、イヤホン本体、及び、スピーカーを含み、
前記イヤホン本体は、前記イヤホン本体を貫通する空気流通路、及び、振動膜が設置される収容設置空間を有し、
前記スピーカーは、前記収容設置空間に設けられ、前記振動膜に対応することを特徴とするイヤホン。
【請求項２】
前記イヤホン本体は、前端、及び、前記前端に相対する後端を有し、
前記空気流通路は、前記前端及び前記後端を貫通することを特徴とする請求項１に記載のイヤホン。
【請求項３】
前記イヤホン本体は、中央位置及び周辺位置を有し、
前記空気流通路は、前記中央位置を貫通することを特徴とする請求項２に記載のイヤホン。
【請求項４】
前記イヤホン本体は、中央位置及び周辺位置を有し、
前記空気流通路は、前記周辺位置を貫通することを特徴とする請求項２に記載のイヤホン。
【請求項５】
前記空気流通路は、前記後端において、徐々に拡大する形態、或いは、徐々に縮小する形態を呈することを特徴とする請求項４に記載のイヤホン。
【請求項６】
前記イヤホン本体は、耳カバー式イヤホン或いは耳栓式イヤホンであることを特徴とする請求項１に記載のイヤホン。
【請求項７】
外耳道の圧力を調整し自然な音質を提供するイヤホンの製造方法であって、
イヤホン本体を貫通するよう空気流通路を形成する第一工程と、
前記イヤホン本体内の振動膜に対応するスピーカーを前記イヤホン本体が有する収容設置空間に設置する第二工程と、
を含むイヤホンの製造方法。
【請求項８】
前記第一工程において、前記空気流通路は、前記イヤホン本体の前端及び後端の中央位置を貫通するよう形成されることを特徴とする請求項７に記載のイヤホンの製造方法。
【請求項９】
前記第一工程において、前記空気流通路は、前記イヤホン本体の前端及び後端の少なくとも一方の周辺位置を貫通するよう形成されることを特徴とする請求項７に記載のイヤホンの製造方法。
【請求項１０】
前記第一工程において、前記空気流通路は、前記後端において徐々に拡大する形態、或いは徐々に縮小する形態を呈するよう形成されることを特徴とする請求項９に記載のイヤホンの製造方法。
【発明の詳細な説明】
【技術分野】
【０００１】
本発明は、外耳道の圧力を調整し自然な音質を提供するイヤホン及びその製造方法に関する。
【背景技術】
【０００２】
伝統的なイヤホンには、特許文献１に開示する「スピーカー単体とイヤホン」、或いは特許文献２に開示する「コイル圧電デュアルオーディオスピーカーのイヤホン」がある。
上記のイヤホンは共に、封鎖された収容設置空間内にスピーカーを有し、振動膜を振動させることで音波を発し、鼓膜に伝導して音声を発する。
【０００３】
しかしながら、上記のイヤホンは、使用時に以下の欠点がある。
１．イヤホンを耳に装着すると、イヤホンは外耳道を封鎖空間としてしまうため、振動膜で発生する音波は、イヤホンと鼓膜との間の外耳道を往復するため、音波は鼓膜に対して異常な圧力を生じ、使用者は不快を感じる。
２．外耳道で往復する音波は、振動膜に対して反対方向に圧迫する力を生じるため、振動膜が続けて発する音波は影響を受け、音質が歪んでしまう。特に中高音に対する影響は顕著である。
【先行技術文献】
【特許文献】
【０００４】
【特許文献１】中華民国実用新案第Ｍ５１７４９７号明細書
【特許文献２】中華民国実用新案第Ｍ５２９９９８号明細書
【発明の概要】
【発明が解決しようとする課題】
【０００５】
これらの先行技術には、イヤホンを耳に装着すると、イヤホンは外耳道を封鎖空間としてしまうため、振動膜が産生する音波は、イヤホンと鼓膜の間の外耳道を往復する。このため、音波は鼓膜に対して異常な圧力を生じ、使用者は不快を感じる。また、外耳道で往復する音波は、振動膜に対して反対方向に圧迫する力を生じるため、振動膜が続けて発する音波は影響を受け、音質が歪んでしまい、特に中高音に対する影響は顕著であるという欠点がある。
【課題を解決するための手段】
【０００６】
本発明は、上述の点に鑑みてなされたものであり、その目的は、外耳道の圧力を調整し自然な音質を提供するイヤホン及びその製造方法を提供することにある。
【０００７】
本発明によるイヤホンは、イヤホン本体、及び、スピーカーを有する。
該イヤホン本体に、該イヤホン本体を貫通する空気流通路を設置し、該イヤホン本体内には、収容設置空間を有し、該収容設置空間内には、振動膜を設置する。
該スピーカーは、該収容設置空間に設置し、該振動膜に対応する。
【０００８】
さらに、該イヤホン本体は、前端、及び該前端に相対する後端を有し、該空気流通路は、該前端及び該後端を貫通する。
【０００９】
さらに、該イヤホン本体は、中央位置及び周辺位置を有し、該空気流通路は、該中央位置を貫通する。
【００１０】
さらに、該イヤホン本体は、中央位置及び周辺位置を有し、該空気流通路は、該周辺位置を貫通する。
さらに、該空気流通路は、該後端において、徐々に拡大する形態、或いは徐々に縮小する形態を呈する。
【００１１】
さらに、該イヤホン本体は、耳カバー式イヤホン或いは耳栓式イヤホンである。
【００１２】
本発明によるイヤホンの製造方法は、以下を含む。
第一工程として、イヤホン本体を貫通するよう空気流通路を形成する。
第二工程として、スピーカーを該イヤホン本体内の収容設置空間に設置し、しかも該スピーカーは、該イヤホン本体内の振動膜に対応する。
【００１３】
さらに、第一工程において、該空気流通路は、該イヤホン本体の前端及び後端を貫通し、これにより、該空気流通路は、該イヤホン本体の中央位置を貫通するよう形成する。
【００１４】
さらに、第一工程において、該空気流通路は、該イヤホン本体の前端及び後端を貫通し、これにより、該空気流通路は、該イヤホン本体の周辺位置を貫通するよう形成する。
【００１５】
さらに、第一工程において、該空気流通路は、該後端において、徐々に拡大する形態、或いは徐々に縮小する形態を呈する。
【００１６】
上述の技術的特?により、本発明は、以下の効果を達成することができる。
使用者が該イヤホン本体を耳に装着すると、耳の外耳道は、該空気流通路により外界と連通する。該振動膜で発生する音波は、鼓膜で反射した後、該空気流通路から外界へと伝わる。これにより、該外耳道で音波が往復することはないため、往復する音波によって鼓膜に対して生じる異常な圧力を減少し、使用において快適である。
【００１７】
また、音波は、該空気流通路から外界へと伝わるため、音波の反射によって該振動膜に対して反対方向の圧力を生じ音質が歪むことを回避できる。本発明により、人体の鼓膜は、現在の一般的なイヤホンの人工的な音とは違った、オリジナル状態の音声を感じることができる。
【図面の簡単な説明】
【００１８】
【図１】第一実施形態のイヤホンの立体外観図である。
【図２】第一実施形態のイヤホンの図１とは異なる方向からの立体外観図である。
【図３】第一実施形態のイヤホンの断面図である。
【図４】第一実施形態のイヤホンの使用状態図である。
【図５】第二実施形態のイヤホンの立体外観図である。
【図６】第二実施形態のイヤホンの図５とは異なる方向からの立体外観図である。
【図７】第二実施形態のイヤホンの断面図である。
【図８】第二実施形態のイヤホンの使用状態図である。
【図９】第三実施形態のイヤホンの立体外観図である。
【図１０】第三実施形態のイヤホンの図９とは異なる方向からの立体外観図である。
【図１１】第三実施形態のイヤホンの断面図である。
【図１２】第三実施形態のイヤホンの使用状態図である。
【発明を実施するための形態】
【００１９】
（第一実施形態）
図１、図２、図３に示す通り、第一実施形態のイヤホンの構造及びその製造方法は、以下の通りである。
イヤホン本体１の前端１１、後端１２、イヤホン本体１の中央位置１３、及び、周辺位置１４を定義する。
第一工程として、イヤホン本体１の前端１１及び後端１２を貫通する空気流通路１５を形成する。本実施形態中において、空気流通路１５は、中央位置１３を貫通するよう形成される。
第二工程として、スピーカー２は、イヤホン本体１内の収容設置空間１６に設置される。スピーカー２は、イヤホン本体１内の振動膜１７に対応する。スポンジカバー３は、イヤホン本体１の前端１１にかぶせられる。
【００２０】
図４に示す通り、イヤホン本体１を耳に装着すると、イヤホン本体１の前端１１及び後端１２を貫通する空気流通路１５によって、耳の外耳道は外界と連通する。
スピーカー２において音を再生すると、振動膜１７は振動によって音波を発する。
音波は、耳の鼓膜に反射した後、空気流通路１５から外界へと伝わるため、外耳道で往復することはない。これにより、音波が鼓膜に対して生じる異常な圧力を減らすことができる。
また、音波は、空気流通路１５から外界へと伝わるため、反射した音波が振動膜１７に対して反対方向の圧力を加えることを抑制する。これにより、振動膜１７の振動が反対方向の圧力の影響を受け、音質が歪む状況の発生を回避できる。
【００２１】
（第二実施形態）
図５、図６及び図７に示す通り、第二実施形態のイヤホンの構造及び製造方法は、第一実施形態と略同じであるが、異なる点は以下の通りである。
本実施形態のイヤホンは、イヤホン本体１Ａ、スピーカー２Ａ、及び、スポンジカバー３Ａを含む。
イヤホン本体１Ａは、前端１１Ａ、及び、前端１１に相対する後端１２Ａを有する。
イヤホン本体１Ａは、中央位置１３Ａ及び周辺位置１４Ａを有する。第一工程として、空気流通路１５Ａは、前端１１Ａ及び後端１２Ａを貫通するよう形成される。本実施形態では、空気流通路１５Ａは、周辺位置１４Ａを貫通するよう形成される。空気流通路１５Ａは、後端１２Ａにおいて、徐々に拡大する形態を呈する。
イヤホン本体１Ａは、収容設置空間１６Ａを有する。収容設置空間１６Ａ内には、振動膜１７Ａが設置される。
第二工程として、スピーカー２Ａは、収容設置空間１６Ａに設けられ、振動膜１７Ａに対応する。スポンジカバー３Ａは、イヤホン本体１Ａの前端１１Ａにかぶせられる。
【００２２】
図８に示す通り、第一実施形態と同様に、音波は耳の鼓膜に反射した後、イヤホン本体１Ａの空気流通路１５Ａを通って空気流通路１５Ａから外界に伝わるため、外耳道で往復することはない。これにより、音波が鼓膜に対して生じる異常な圧力を減らすことができる。また、音波が、反射によって振動膜１７Ａに対して反対方向の圧力を生じ音質が歪むことを回避できる。
【００２３】
また、音波は、空気流通路１５から外界へと伝わるため、反射した音波が振動膜１７に対して反対方向の圧力を加えることを抑制する。これにより、振動膜１７の振動が反対方向の圧力の影響を受け、音質が歪む状況の発生を回避できる。
【００２４】
（第三実施形態）
図９、図１０及び図１１に示す通り、第三実施形態のイヤホンの構造及び製造方法は、第一実施形態と略同じであるが、異なる点は以下の通りである。
本実施形態のイヤホンは、イヤホン本体１Ｂ、スピーカー２Ｂ、及び、スポンジカバー３Ｂを含む。
イヤホン本体１Ｂは、前端１１Ｂ及び前端１１Ｂに相対する後端１２Ｂを有する。イヤホン本体１Ｂは、中央位置１３Ｂ、周辺位置１４Ｂ、及び、空気流通路１５Ｂを有する。第一工程として、空気流通路１５Ｂは、前端１１Ｂ及び後端１２Ｂを貫通するよう形成される。本実施形態では、空気流通路１５Ｂは、周辺位置１４Ｂを貫通する。空気流通路１５Ｂは、後端１２Ｂにおいて、徐々に縮小する形態を呈する。
イヤホン本体１Ｂ内は、収容設置空間１６Ｂを有する。収容設置空間１６Ｂ内には、振動膜１７Ｂが設置されている。
第二工程として、スピーカー２Ｂは、収容設置空間１６Ｂに設けられ、振動膜１７Ｂに対応する。スポンジカバー３Ｂは、イヤホン本体１Ｂの前端１１Ｂにかぶせられる。
【００２５】
図１２に示す通り、第一実施形態と同様に、音波は、耳の鼓膜に反射した後、イヤホン本体１Ｂの空気流通路１５Ｂを通って空気流通路１５Ｂから外界に伝わるため、外耳道で往復することはない。これにより、音波が鼓膜に対して生じる異常な圧力を減らすことができる。また、音波が、反射によって振動膜１７Ｂに対して反対方向の圧力を生じ音質が歪むことを回避できる。
【００２６】
上述の各実施形態で説明したように、空気流通路１５、１５Ａ、１５Ｂの形態がどうであろうと、本発明の特徴は、イヤホン本体１、１Ａ、１Ｂ上に前端１１、１１Ａ、１１Ｂ及び後端１２、１２Ａ、１２Ｂを貫通する空気流通路１５、１５Ａ、１５Ｂを設置し、イヤホン本体１、１Ａ、１Ｂを耳に装着すると、外耳道は、空気流通路１５、１５Ａ、１５Ｂを通して外界と通じる。
【００２７】
空気流通路は、好ましくは、前述のように、イヤホン本体の前端及び後端を貫通する。しかしながら、本発明は、この他イヤホン本体の形態に応じて、空気流通路を任意の位置に設置でき、耳カバー式イヤホンは側辺から空気流通路を開設できる。したがって、イヤホンが耳カバー式イヤホンであろうと、耳栓式イヤホンであろうと、或いは外耳道式、耳掛式、首掛式、ブルートゥース（登録商標）式、フルヘッドホン式、アンチノイズ式、ハーフヘッドホン式、後開放式或いは後密閉式等の他の形態の任意のイヤホンであろうと、空気流通路を設置するなら、すべて本発明の保護範囲とする。
【００２８】
前述した本発明の実施形態は本発明を限定するものではない。よって、本発明により保護される範囲は、特許請求の範囲を基準とする。
【符号の説明】
【００２９】
１、１Ａ、１Ｂ  イヤホン本体
１１、１１Ａ、１１Ｂ  前端
１２、１２Ａ、１２Ｂ  後端
１３、１３Ａ、１３Ｂ  中央位置
１４、１４Ａ、１４Ｂ  周辺位置
１５、１５Ａ、１５Ｂ  空気流通路
１６、１６Ａ、１６Ｂ  収容設置空間
１７、１７Ａ、１７Ｂ  振動膜
２、２Ａ、２Ｂ  スピーカー
３、３Ａ、３Ｂ  スポンジカバー
【図１】
2018085726.tif 000003
【図２】
2018085726.tif 000004
【図３】
2018085726.tif 000005
【図４】
2018085726.tif 000006
【図５】
2018085726.tif 000007
【図６】
2018085726.tif 000008
【図７】
2018085726.tif 000009
【図８】
2018085726.tif 000010
【図９】
2018085726.tif 000011
【図１０】
2018085726.tif 000012
【図１１】
2018085726.tif 000013
【図１２】
2018085726.tif 000014